(57)【要約】【課題】遊技球を貯留する受け皿の態様を、遊技者の好みに応じて選択的に変更可能にする。【解決手段】遊技盤面に発射するための遊技球や、入賞に応じて払い出された遊技球を貯留する上皿６と、上皿６から遊技球を抜くための球抜き操作部１４と、上皿６から抜かれた遊技球を運搬可能な球箱Ｔまで導くための球抜き経路１５とを備えるパチンコ遊技機１において、上皿６の下方に、引き出し状態と収納状態とに選択的に操作可能な可変受け皿１７を設ける。【選択図】図４
2007267799.tif 000002
【特許請求の範囲】
【請求項１】
遊技盤面に発射するための遊技球、及び／又は、入賞に応じて払い出された遊技球を貯留する上皿と、上皿から遊技球を抜くための球抜き操作部と、上皿から抜かれた遊技球を運搬可能な球箱まで導くための球抜き経路とを備える弾球遊技機において、前記上皿の下方に、引き出し状態と収納状態とに選択的に操作可能な可変受け皿を設けたことを特徴とする弾球遊技機。
【請求項２】
前記可変受け皿が収納状態のときは、上皿から抜かれた遊技球が球箱に導かれることを特徴とする請求項１記載の弾球遊技機。
【請求項３】
前記可変受け皿が引き出し状態のときは、上皿から抜かれた遊技球が可変受け皿に導かれることを特徴とする請求項１又は２記載の弾球遊技機。
【請求項４】
前記可変受け皿が引き出し状態から収納状態に操作されたときは、可変受け皿内の遊技球が球箱に排出されることを特徴とする請求項１〜３のいずれかに記載の弾球遊技機。
【発明の詳細な説明】
【技術分野】
【０００１】
本発明は、パチンコ遊技機などの弾球遊技機に関し、特に、遊技球を貯留する受け皿の態様を選択的に変更できる弾球遊技機に関する。
【背景技術】
【０００２】
現在販売されている弾球遊技機には、遊技球を貯留する受け皿として、上皿及び下皿を備える二段皿タイプ（例えば、特許文献１、２参照）と、上皿のみを備える一体皿タイプ（例えば、特許文献３参照）とが混在している。
図８に示すように、二段皿タイプのパチンコ遊技機１００は、通常、上皿１０１及び下皿１０２に、それぞれ球抜き操作部１０３、１０４を備えており、上皿１０１の球抜き操作部１０３を操作すると、上皿１０１内の遊技球が下皿１０２内に導かれ、下皿１０２の球抜き操作部１０４を操作すると、下皿１０２内の遊技球が運搬可能な球箱Ｔに導かれるようになっている。
また、図９に示すように、一体皿タイプのパチンコ遊技機２００は、上皿２０１に球抜き操作部２０２を備えており、この球抜き操作部２０２を操作すると、上皿２０１内の遊技球が球箱Ｔに導かれるようになっている。
【特許文献１】特開平７−１３６３２７号公報
【特許文献２】特開平１０−２３４９７５号公報
【特許文献３】特開２００５−２８７７６１号公報
【発明の開示】
【発明が解決しようとする課題】
【０００３】
二段皿タイプのパチンコ遊技機では、上皿に貯留された遊技球を球箱に排出する場合、二つの球抜き操作部を操作する必要があるので、球抜き操作が複雑になるという問題点がある。そして、このような問題点を重視する遊技者は、一体皿タイプのパチンコ遊技機を好む傾向がある。
また、一体皿タイプのパチンコ遊技機では、二段皿タイプの上皿に比べ、上皿の球容量を大きくしているものの、トータルの球容量は、二段皿タイプに劣るという問題点がある。そして、このような問題点を重視する遊技者は、二段皿タイプのパチンコ遊技機を好む傾向がある。
しかしながら、受け皿の態様は、通常、メーカ毎の仕様であるため、同一メーカや同一機種のパチンコ遊技機においては、二段皿タイプを好む遊技者と、一体皿タイプを好む遊技者との両者を満足させることは困難であった。
【課題を解決するための手段】
【０００４】
本発明は、上記の如き実情に鑑みこれらの課題を解決することを目的として創作されたものであって、遊技盤面に発射するための遊技球、及び／又は、入賞に応じて払い出された遊技球を貯留する上皿と、上皿から遊技球を抜くための球抜き操作部と、上皿から抜かれた遊技球を運搬可能な球箱まで導くための球抜き経路とを備える弾球遊技機において、前記上皿の下方に、引き出し状態と収納状態とに選択的に操作可能な可変受け皿を設けたことを特徴とする。このようにすると、一体皿タイプの弾球遊技機でありながら、可変受け皿の引き出し操作や収納操作に応じて、受け皿の態様を選択的に変更することが可能になる。例えば、可変受け皿を収納した状態では、一体皿タイプの受け皿態様とし、可変受け皿を引き出した状態では、二段皿タイプの受け皿態様とすることができる。これにより、一台の弾球遊技機において、二段皿タイプを好む遊技者と、一体皿タイプを好む遊技者との両者を満足させることが可能になる。
また、前記可変受け皿が収納状態のときは、上皿から抜かれた遊技球が球箱に導かれることを特徴とする。このようにすると、上皿における球抜き操作部の操作により、上皿内の遊技球を球箱に排出できるという一体皿タイプの利点を維持することが可能になる。
また、前記可変受け皿が引き出し状態のときは、上皿から抜かれた遊技球が可変受け皿に導かれることを特徴とする。このようにすると、上皿における球抜き操作部の操作により、上皿内の遊技球を下皿（可変受け皿）に移動できるという二段皿タイプの利点を付加することが可能になる。
また、前記可変受け皿が引き出し状態から収納状態に操作されたときは、可変受け皿内の遊技球が球箱に排出されることを特徴とする。このようにすると、可変受け皿に球抜き操作部を設けなくても、可変受け皿内の遊技球を球箱に排出することが可能になる。
【発明の効果】
【０００５】
以上のような本発明によれば、一体皿タイプの弾球遊技機でありながら、可変受け皿の引き出し操作や収納操作に応じて、受け皿の態様を選択的に変更することが可能になる。例えば、可変受け皿を収納した状態では、一体皿タイプの受け皿態様とし、可変受け皿を引き出した状態では、二段皿タイプの受け皿態様とすることができる。これにより、一台の弾球遊技機において、二段皿タイプを好む遊技者と、一体皿タイプを好む遊技者との両者を満足させることが可能になる。
【発明を実施するための最良の形態】
【０００６】
［第一実施形態］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００７】
パチンコ遊技機１の正面部は、遊技球が発射される遊技盤４と、その前方を覆う開閉自在なガラス枠５と、遊技盤面に発射するための遊技球や、入賞に応じて払い出された遊技球を貯留する上皿６と、遊技球の発射力調整を行う発射ハンドル７と、遊技球の貸出操作を行う貸出操作部８と、演出音を出音するスピーカ９とを備えて構成され、また、パチンコ遊技機１の背面部は、払出用の遊技球を貯留する遊技球タンク１０と、遊技球タンク１０内の遊技球を上皿６に払い出す賞球払出装置１１と、発射ハンドル７の操作に応じて遊技球を発射する発射装置（発射モータ）１２と、各種の制御基板１３とを備えて構成されている。
【０００８】
上皿６は、いわゆる一体皿タイプの受け皿態様を実現可能なものであり、上皿ユニットは、上皿６や、上皿６の底部に形成された球抜き孔を塞ぐとともに上皿６から遊技球を抜く際にその球抜き孔を開ける球抜き構造、そして、この球抜き構造に対する操作を行う球抜き操作部１４等が設けられたユニット部材となっている。そして、球抜き孔と連通し上皿６の球抜き孔から抜かれた遊技球を運搬可能な球箱Ｔまで導く球抜き経路１５を内部に有する球抜き経路ユニットが、通常、上皿ユニットの下方に設けられている。しかし、本実施形態では、この球抜き経路ユニットに代えて可変受け皿ユニット１６を設け、この可変受け皿ユニット１６によって、球抜き経路１５及び可変受け皿１７を構成することにより、受け皿の態様を遊技者の好みに応じて選択的に変更可能なパチンコ遊技機１を実現するものである。
なお、上皿６の球抜き構造や球抜き操作部１４の構造に制限はない。例えば、特許文献１〜３に記載される球抜き構造を適用することができる。
【０００９】
図３〜図６に示すように、可変受け皿ユニット１６は、角筒状のユニットケース１８を有し、このユニットケース１８を上下方向に貫くと共に、球抜き孔と連通する球抜き経路１５が形成されている。可変受け皿１７は、引き出し形状の部材であり、ユニットケース１８の正面に形成される出し入れ口１８ａを介して、ユニットケース１８内に引き出し自在に収納される。可変受け皿１７の底板１９は、前端側を支点として上下回動自在となっており、この回動により可変受け皿１７の底面が開閉される。また、可変受け皿１７の後端部とユニットケース１８の後端部との間には、ガイド板２０が介設されている。ガイド板２０の前端部は、可変受け皿１７の側壁後端部に対して上下回動自在に連結される一方、ガイド板２０の後端部は、ユニットケース１８の側壁後端部に形成される上下方向の溝１８ｂに対して上下スライド自在に連結されている。
【００１０】
なお、本実施形態では、底板１９及びガイド板２０を板状部材としたが、ガイド板２０は、これに代えて、布などの膜状の材料を用いてもよい。この場合、この膜状の材料は、可変受け皿１７の後端部とユニットケース１８の後端部とに鋲など連結されるようになっている。このような膜状の材料を用いると、可変受け皿１７とユニットケース１８との連結構造が簡易になるという利点がある。
また、本実施形態では、底板１９は、可変受け皿１７の底面全体を構成するようにしたが、これに代えて、底板１９を可変受け皿１７の底面の一部を構成するものとしても良い。この場合、可変受け皿１７の収納時において球抜き経路１５における球詰まりを防止するために、可変受け皿１７の引き出し時において、可変受け皿１７における底板１９にて可変受け皿１７の底面が形成されない底面を、底板１９側に傾斜する傾斜面とすることが望ましい。
【００１１】
図３及び図４は、可変受け皿１７を引き出した状態を示している。可変受け皿１７を引き出した状態では、底板１９が出し入れ口１８ａの下縁に当接して水平姿勢を保つと共に、ガイド板２０が前低後高状の傾斜姿勢で球抜き経路１５を遮蔽している。この状態で上皿６の球抜き操作部１４を操作すると、上皿６から抜かれた遊技球は、球抜き経路１５の途中でガイド板２０に当たり、可変受け皿１７内に導かれる。
【００１２】
図５及び図６は、可変受け皿１７を収納した状態を示している。可変受け皿１７を収納した状態では、底板１９が下方に回動して可変受け皿１７の底面が開放されると共に、ガイド板２０がユニットケース１８の後部壁に沿う垂直姿勢を保っている。したがって、遊技球が貯留された可変受け皿１７を、引き出し状態から収納状態に操作すると、底板１９の開放により、遊技球が球箱Ｔに排出される。また、この状態で上皿６の球抜き操作部１４を操作すると、上皿６から抜かれた遊技球は、無底状態の可変受け皿１７を通過し、球箱Ｔに排出される。
【００１３】
叙述の如く構成された本実施形態によれば、遊技盤面に発射するための遊技球や、入賞に応じて払い出された遊技球を貯留する上皿６と、上皿６から遊技球を抜くための球抜き操作部１４と、上皿６から抜かれた遊技球を運搬可能な球箱Ｔまで導くための球抜き経路１５とを備えるパチンコ遊技機１において、上皿６の下方に、引き出し状態と収納状態とに選択的に操作可能な可変受け皿１７を設けたので、一体皿タイプのパチンコ遊技機１でありながら、可変受け皿１７の引き出し操作や収納操作に応じて、受け皿の態様を選択的に変更することが可能になる。例えば、可変受け皿１７を収納した状態では、一体皿タイプの受け皿態様とし、可変受け皿１７を引き出した状態では、二段皿タイプの受け皿態様とすることができる。これにより、一台のパチンコ遊技機１において、二段皿タイプを好む遊技者と、一体皿タイプを好む遊技者との両者を満足させることが可能になる。
【００１４】
また、可変受け皿１７が収納状態のときは、上皿６から抜かれた遊技球が球箱Ｔに導かれるので、上皿６における球抜き操作部１４の操作により、上皿６内の遊技球を球箱Ｔに排出できるという一体皿タイプの利点を維持することが可能になる。
【００１５】
また、可変受け皿１７が引き出し状態のときは、上皿６から抜かれた遊技球が可変受け皿１７に導かれるので、上皿６における球抜き操作部１４の操作により、上皿６内の遊技球を下皿（可変受け皿１７）に移動できるという二段皿タイプの利点を付加することが可能になる。
【００１６】
また、可変受け皿１７が引き出し状態から収納状態に操作されたときは、可変受け皿１７内の遊技球が球箱Ｔに排出されるので、可変受け皿１７に球抜き操作部を設けなくても、可変受け皿１７内の遊技球を球箱Ｔに排出することが可能になる。
【００１７】
［第二実施形態］
次に、本発明の第二実施形態に係るパチンコ遊技機の可変受け皿ユニットについて、図７を参照して説明する。この図に示すように、第二実施形態の可変受け皿ユニット２１は、第一実施形態の可変受け皿ユニット１６と同様に、引き出し状態と収納状態とに選択的に操作可能な可変受け皿２２を備えるが、引き出し状態、収納状態のいずれであっても、上皿６から抜かれた遊技球が可変受け皿２２に導かれる点、可変受け皿２２が内部の遊技球を外部から目視可能な透明部材で形成されている点、可変受け皿２２に球抜き操作部２３を備える点などが第一実施形態と相違している。
【００１８】
すなわち、第二実施形態では、可変受け皿２２が収納状態であっても、上皿６から抜かれた遊技球が可変受け皿２２内に導かれるため、可変受け皿２２を透明部材で形成し、内部の遊技球を外部から確認できるようにすると共に、可変受け皿２２内の遊技球を球箱Ｔに排出するために、可変受け皿２２に、球抜き孔２２ａと、球抜き孔２２ａを開閉する球抜き操作部２３とを設けている。このような可変受け皿２２であっても本発明の範囲に含まれることは勿論であるが、第一実施形態の可変受け皿１７と比較した場合、可変受け皿２２に球抜き操作部２３が必要な点、上皿６の球抜き操作部１４を操作するだけでは、上皿６内の遊技球を球箱Ｔに排出できない点などが劣っている。
【図面の簡単な説明】
【００１９】
【図１】パチンコ遊技機の正面図である。
【図２】パチンコ遊技機の背面図である。
【図３】（Ａ）は第一実施形態の可変受け皿ユニットにおける可変受け皿の引き出し状態を示す正面図、（Ｂ）は側面図、（Ｃ）はＸ−Ｘ断面図である。
【図４】（Ａ）は第一実施形態の可変受け皿ユニットにおける可変受け皿の引き出し状態を示す斜視図、（Ｂ）は断面斜視図である。
【図５】（Ａ）は第一実施形態の可変受け皿ユニットにおける可変受け皿の収納状態を示す正面図、（Ｂ）はＹ−Ｙ断面図である。
【図６】（Ａ）は第一実施形態の可変受け皿ユニットにおける可変受け皿の収納状態を示す斜視図、（Ｂ）は断面斜視図である。
【図７】（Ａ）は第二実施形態の可変受け皿ユニットにおける可変受け皿の収納状態を示す断面図、（Ｂ）は正面図、（Ｃ）は可変受け皿の引き出し状態を示す断面図である。
【図８】従来例に係る二段皿タイプのパチンコ遊技機を示す正面図である。
【図９】従来例に係る一体皿タイプのパチンコ遊技機を示す正面図である。
【符号の説明】
【００２０】
１    パチンコ遊技機
４    遊技盤
６    上皿
１４  球抜き操作部
１５  球抜き経路
１６  可変受け皿ユニット
１７  可変受け皿
１８  ユニットケース
１９  底板
２０  ガイド板
２１  可変受け皿ユニット
２２  可変受け皿
２３  球抜き操作部
Ｔ    球箱
【図１】
2007267799.tif 000003
【図２】
2007267799.tif 000004
【図３】
2007267799.tif 000005
【図４】
2007267799.tif 000006
【図５】
2007267799.tif 000007
【図６】
2007267799.tif 000008
【図７】
2007267799.tif 000009
【図８】
2007267799.tif 000010
【図９】
2007267799.tif 000011